(57)【要約】【課題】矯正用ワイヤの挿入を容易とすることで被矯正者が不快感を覚えることがなく、しかも、矯正用ワイヤを確実に保持可能とすることができる歯列矯正具を提供する。【解決手段】歯への着設に用いる着設面を有する略平板状の台座と、この台座と一体であって、台座から突出させて矯正用ワイヤを係架支持可能とした係止片とからなる歯列矯正具であって、係止片は、中途部を折曲させて先端を台座に略沿わせることにより略輪状として矯正用ワイヤを係架状態に保持するための保持空間を形成するとともに、係止片の先端で矯正用ワイヤを保持空間に導入するための導入路を形成する。導入路は、歯先に向けて導入口を設ける。【選択図】図７
2006297052.tif 000002
【特許請求の範囲】
【請求項１】
歯への着設に用いる着設面を有する略平板状の台座と、この台座と一体であって、前記台座から突出させて矯正用ワイヤを係架支持可能とした係止片とからなる歯列矯正具であって、
前記係止片は、中途部を折曲させて先端を前記台座に略沿わせることにより略輪状として前記矯正用ワイヤを係架状態に保持するための保持空間を形成するとともに、前記係止片の先端で前記矯正用ワイヤを前記保持空間に導入するための導入路を形成した歯列矯正具。
【請求項２】
前記係止片の先端には係合用切欠を設け、この係合用切欠を用いて前記導入路を拡開させる方向に前記係止片を弾性変形可能としたことを特徴とする請求項１記載の歯列矯正具。
【請求項３】
前記台座には、前記係止片の基端部部分を前記係止片の突出方向に膨出させた膨出部を設け、この膨出部の側面に前記係止片の先端を略沿わせていることを特徴とする請求項１または請求項２に記載の歯列矯正具。
【請求項４】
前記膨出部の頂部は平坦面とし、前記係止片はこの平坦面と略直交させて突設するとともに、中途部に前記平坦面と略平行となるように折曲した第１折曲部を設け、さらにこの第１折曲部よりも先端側に第２折曲部を設けて、略矩形状の前記保持空間を形成したことを特徴とする請求項３記載の歯列矯正具。
【請求項５】
前記膨出部は、口の外に向いた歯の面への装着時に、前記係止片の前記第１折曲部と前記第２折曲部との間における外側面が正面を向くようにしたことを特徴とする請求項４記載の歯列矯正具。
【請求項６】
前記係止片には、先端側を緊縛具で前記膨出部に緊縛する際に前記緊縛具と係合する第１係合用凹部を設けるとともに、前記膨出部には前記緊縛具と係合する第２係合用凹部を設けたことを特徴とする請求項４または請求項５に記載の歯列矯正具。
【請求項７】
前記導入路は、歯先に向けて導入口を設けたことを特徴とする請求項１〜６のいずれか１項に記載の歯列矯正具。
【請求項８】
前記係止片は、前記膨出部に突設したバネ部材を介して前記台座に突設したことを特徴とする請求項４記載の歯列矯正具。
【請求項９】
前記係止片は、前記第１折曲部部分でバネ部材を介して連結した第１片と第２片とで構成したことを特徴とする請求項８記載の歯列矯正具。
【請求項１０】
歯への着設に用いる着設面を有する台座と、この台座に一体的に接合して前記台座から突出させることにより矯正用ワイヤを係架支持可能とした係止片とからなる歯列矯正具であって、
前記係止片は、中途部を折曲させて先端を前記台座に略沿わせることにより略輪状として前記矯正用ワイヤを係架状態に保持するための保持空間を形成するとともに、前記係止片の先端で前記矯正用ワイヤを前記保持空間に導入するための導入路を形成した歯列矯正具。
【請求項１１】
前記台座には、前記係止片と当接して前記係止片を支持する支持片を突設したことを特徴とする請求項１０記載の歯列矯正具。
【請求項１２】
前記係止片は、側面視略矩形状の前記保持空間を形成するように構成したことを特徴とする請求項１０または請求項１１に記載の歯列矯正具。
【請求項１３】
前記導入路を形成する前記係止片の先端部分には、緊縛具で前記係止片の先端を前記台座に緊縛する際に前記緊縛具と係合する第１係合用凹部を設けたことを特徴とする請求項１０〜１２のいずれか１項に記載の歯列矯正具。
【請求項１４】
前記台座には、第１係合用凹部に係合させた前記緊縛具と係合して支持する第２係合用凹部を設けたことを特徴とする請求項１３記載の歯列矯正具。
【請求項１５】
歯への着設に用いる着設面を有する略平板状の台座と、この台座から突出させた支持片に枢着して矯正用ワイヤを係架支持可能とした略Ｌ字状の係止片とからなる歯列矯正具。
【請求項１６】
歯への着設に用いる着設面を有する台座と、この台座に装着して矯正用ワイヤを係架支持可能とした係止片とからなる歯列矯正具であって、
前記台座は、平板状の基台部と、この基台部に立設した支持壁部とを備え、
前記係止片は、前記支持壁部に重なり合うように当接させる第１片部と、この第１片部に延設して前記基台部と略平行とした第２片部と、この第２片部に延設して前記支持壁部と略平行とした第３片部を備え、
前記第１片部を前記支持壁部に重ね合わせて装着したことを特徴とする歯列矯正具。
【請求項１７】
前記第１片部の先端には、前記支持壁部と係合する係合爪を設けたことを特徴とする請求項１６記載の歯列矯正具。
【請求項１８】
歯への着設に用いる着設面を有する台座と、この台座に装着して矯正用ワイヤを係架支持可能とした係止片とからなる歯列矯正具であって、
前記台座は、平板状の基台部と、この基台部に所定間隔を隔てて立設した第１の支持壁部と第２の支持壁部とを備え、
前記係止片は、前記基台部に対向する対向片と、この対向片に立設して前記第１の支持壁部と重なり合う第１の重合片と、前記対向片に立設して前記第２の支持壁部と重なり合う第２の重合片とを備え、前記第１の重合片と前記第２の重合片とを、前記第１の支持壁部と前記第２の支持壁部にそれぞれ重合させることによって前記台座への装着を行うようにし、
さらに、前記対向片には、前記第１の重合片よりも外方に向けて突出させた第１鍔を延設するとともに、前記第２の重合片よりも外方に向けて突出させた第２鍔を延設して、前記第１鍔と前記第２鍔とで前記対向片を反り返らせることにより前記係止片を前記台座から離脱させるように構成したことを特徴とする歯列矯正具。
【発明の詳細な説明】
【技術分野】
【０００１】
本発明は、歯列の矯正に用いる歯列矯正具に関するものである。
【背景技術】
【０００２】
従来、歯並びを矯正するための歯列矯正治療を行う場合には、各歯の表面に矯正用金具をそれぞれ接着し、隣接した歯の各矯正用金具に矯正用ワイヤを係架することにより各歯に規制作用を生じさせ、この規制作用によって適正な歯列状態に矯正するようにしている。
【０００３】
ここで、歯に接着される金具には、矯正用ワイヤを挿入可能とした略Ｕ字状の溝を設けるとともに、この溝を設けることによって相対的に起立状となっている少なくとも２本１対とした支柱対を設け、支柱対間の溝に矯正用ワイヤを挿入した後に固定用ワイヤ、接着剤、あるいは輪ゴムなどを用いて矯正用ワイヤを支柱対間に固定装着可能としている。
【０００４】
このように矯正用金具に矯正用ワイヤを固定するためには、固定用ワイヤ、接着剤、あるいは輪ゴムなどを用いた固定作業が必要であって、この固定作業は細かい作業であるために集中力を要するとともに、通常、上側または下側の十数本の歯からなる歯列に対して固定作業を行うために長時間の作業となることによって、比較的重労働となっていた。
【０００５】
そこで、歯列矯正用金具の一形態として、歯への装着に用いるとともに支柱対によって矯正用ワイヤが挿入される溝が設けられた台座金具と、この台座金具とは別体であって台座金具に装着可能とした弾性部材からなる固定用金具とで構成した歯列矯正用金具が提案されている（例えば、特許文献１参照。）。
【０００６】
固定用金具は台座金具に設けた溝の上方に向けた挿入口を閉塞するように装着するものであって、固定用金具を弾性変形させることにより溝の挿入口を開状態とするようにしている。
【０００７】
挿入口を開状態とした溝に矯正用ワイヤの挿入した後、固定用金具の弾性変形を解除することによって溝の挿入口は固定用金具によって閉状態となるとともに、この固定用金具で溝内の矯正用ワイヤを押圧して保持するようにしている。
【０００８】
このように、台座金具に装着した固定用金具で矯正用ワイヤを保持可能としていることによって、矯正用ワイヤの固定作業を著しく簡略化することができるので、施術者による技能差の影響を緩和することができる。
【特許文献１】特開平４−１６６１４７号公報
【発明の開示】
【発明が解決しようとする課題】
【０００９】
しかしながら、前述した台座金具と、この台座金具とは別体であって台座金具に装着可能とした弾性部材とで固定用金具とした場合には、台座金具を歯に装着する第１工程と、歯に装着された台座金具固定用金具を装着する第２工程と、固定用金具を弾性変形させて矯正用ワイヤを台座金具に挿入する第３工程と、固定用金具を弾性変形を解除することによって台座金具と固定用金具とで矯正用ワイヤを保持する第４工程の４工程の作業が必要であって、その工程のたびに歯に対して様々な向きの力が作用することによって、被矯正者が不快感を覚えるおそれがあった。
【００１０】
本発明者は、このような現状に鑑み、歯列矯正具に矯正用ワイヤを装着する際に、歯に対して様々な向きの力が作用しないようにして被矯正者が不快感を覚えることがない歯列矯正具を提供するために研究を行って、本発明を成すに至ったものである。
【課題を解決するための手段】
【００１１】
本発明の歯列矯正具では、歯への着設に用いる着設面を有する略平板状の台座と、この台座と一体であって、台座から突出させて矯正用ワイヤを係架支持可能とした係止片とからなる歯列矯正具であって、係止片は、中途部を折曲させて先端を台座に略沿わせることにより略輪状として矯正用ワイヤを係架状態に保持するための保持空間を形成するとともに、係止片の先端で矯正用ワイヤを保持空間に導入するための導入路を形成した。
【００１２】
さらに、以下の点にも特徴を有するものである。すなわち、
（１）係止片の先端には係合用切欠を設け、この係合用切欠を用いて導入路を拡開させる方向に係止片を弾性変形可能としたこと。
（２）台座には、係止片の基端部部分を係止片の突出方向に膨出させた膨出部を設け、この膨出部の側面に係止片の先端を略沿わせていること。
（３）膨出部の頂部は平坦面とし、係止片はこの平坦面と略直交させて突設するとともに、中途部に平坦面と略平行となるように折曲した第１折曲部を設け、さらにこの第１折曲部よりも先端側に第２折曲部を設けて、略矩形状の保持空間を形成したこと。
（４）膨出部は、口の外に向いた歯の面への装着時に、係止片の第１折曲部と第２折曲部との間における外側面が正面を向くようにしたこと。
（５）係止片には、先端側を緊縛具で膨出部に緊縛する際に緊縛具と係合する第１係合用凹部を設けるとともに、膨出部には緊縛具と係合する第２係合用凹部を設けたこと。
（６）導入路は、歯先に向けて導入口を設けたこと。
（７）係止片は、膨出部に突設したバネ部材を介して台座に突設したこと。
（８）係止片は、第１折曲部部分でバネ部材を介して連結した第１片と第２片とで構成したこと。
【００１３】
また、本発明の歯列矯正具では、歯への着設に用いる着設面を有する略平板状の台座と、この台座に一体的に接合して台座から突出させることにより矯正用ワイヤを係架支持可能とした係止片とからなる歯列矯正具であって、係止片は、中途部を折曲させて先端を台座に略沿わせることにより略輪状として矯正用ワイヤを係架状態に保持するための保持空間を形成するとともに、係止片の先端で矯正用ワイヤを保持空間に導入するための導入路を形成した。
【００１４】
さらに、以下の点にも特徴を有するものである。すなわち、
（１）台座には、係止片と当接して係止片を支持する支持片を突設したこと。
（２）係止片は、側面視略矩形状の保持空間を形成するように構成したこと。
（３）導入路を形成する係止片の先端部分には、緊縛具で係止片の先端を台座に緊縛する際に緊縛具と係合する第１係合用凹部を設けたこと。
（４）台座には、第１係合用凹部に係合させた緊縛具と係合して支持する第２係合用凹部を設けたこと。
【００１５】
また、本発明の歯列矯正具では、歯への着設に用いる着設面を有する略平板状の台座と、この台座から突出させた支持片に枢着して矯正用ワイヤを係架支持可能とした略Ｌ字状の係止片とで構成した。
【００１６】
また、本発明の歯列矯正具では、歯への着設に用いる着設面を有する台座と、この台座に装着して矯正用ワイヤを係架支持可能とした係止片とからなる歯列矯正具であって、台座は、平板状の基台部と、この基台部に立設した支持壁部とを備え、係止片は、支持壁部に重なり合うように当接させる第１片部と、この第１片部に延設して基台部と略平行とした第２片部と、この第２片部に延設して支持壁部と略平行とした第３片部を備え、第１片部を支持壁部に重ね合わせて装着したこととした。さらに、第１片部の先端には、支持壁と係合する係合爪を設けたことにも特徴を有するものである。
【００１７】
また、本発明の歯列矯正具では、歯への着設に用いる着設面を有する台座と、この台座に装着して矯正用ワイヤを係架支持可能とした係止片とからなる歯列矯正具であって、台座は、平板状の基台部と、この基台部に所定間隔を隔てて立設した第１の支持壁部と第２の支持壁部とを備え、係止片は、基台部に対向する対向片と、この対向片に立設して第１の支持壁部と重なり合う第１の重合片と、対向片に立設して第２の支持壁部と重なり合う第２の重合片とを備え、第１の重合片と第２の重合片とを、第１の支持壁部と第２の支持壁部にそれぞれ重合させることによって台座への装着を行うようにし、さらに、対向片には、第１の重合片よりも外方に向けて突出させた第１鍔を延設するとともに、第２の重合片よりも外方に向けて突出させた第２鍔を延設して、第１鍔と第２鍔とで対向片を反り返らせることにより前記係止片を前記台座から離脱させるように構成した。
【発明の効果】
【００１８】
請求項１記載の発明によれば、歯への着設に用いる着設面を有する略平板状の台座と、この台座と一体であって、台座から突出させて矯正用ワイヤを係架支持可能とした係止片とからなる歯列矯正具であって、係止片は、中途部を折曲させて先端を台座に略沿わせることにより略輪状として矯正用ワイヤを係架状態に保持するための保持空間を形成するとともに、係止片の先端で矯正用ワイヤを保持空間に導入するための導入路を形成したことによって、歯列矯正具に矯正用ワイヤを装着する際の工程数が少なく、しかも、歯に作用する力の方向を一定方向とすることができるので被矯正者が不快感を覚えることがなく、さらに保持空間への矯正用ワイヤの出し入れを容易とした歯列矯正具を低コストで提供できる。
【００１９】
請求項２記載の発明では、請求項１記載の歯列矯正具において、係止片の先端には係合用切欠を設け、この係合用切欠を用いて導入路を拡開させる方向に係止片を弾性変形可能としたことによって、導入路の拡開操作を容易に行うことができる歯列矯正具を提供できる。
【００２０】
請求項３記載の発明では、請求項１または請求項２に記載の歯列矯正具において、台座には係止片の基端部部分を係止片の突出方向に膨出させた膨出部を設け、この膨出部の側面に係止片の先端を略沿わせていることによって、係止片の先端と膨出部の側面とで矯正用ワイヤを保持空間に円滑に導入可能とする導入路を容易に構成できる。
【００２１】
請求項４記載の発明では、請求項３記載の歯列矯正具において、膨出部の頂部は平坦面とし、係止片はこの平坦面と略直交させて突設するとともに、中途部に平坦面と略平行となるように折曲した第１折曲部を設け、さらにこの第１折曲部よりも先端側に第２折曲部を設けて、略矩形状の保持空間を形成したことによって、略矩形状の断面形状を有する矯正用ワイヤを安定的に保持できるとともに、係止片には第１折曲部と第２折曲部を設けていることによって、導入路を拡開させる方向に係止片を弾性変形させた場合の変形応力を分散させやすくすることができ、弾性変形させた場合に係止片に異常変形が生じることを防止できる。
【００２２】
請求項５記載の発明では、請求項４記載の歯列矯正具において、膨出部は、口の外に向いた歯の面への装着時に、係止片の第１折曲部と第２折曲部との間における外側面が正面を向くようにしたことによって、歯列矯正具をコンパクトに見せることができ、外観を向上させることができる。
【００２３】
請求項６記載の発明では、請求項４または請求項５に記載の歯列矯正具において、係止片には、先端側を緊縛具で膨出部に緊縛する際に緊縛具と係合する第１係合用凹部を設けるとともに、膨出部には緊縛具と係合する第２係合用凹部を設けたことによって、緊縛具によって係止片を膨出部に安定的に固定できる。
【００２４】
請求項７記載の発明では、請求項１〜６のいずれか１項に記載の歯列矯正具において、導入路は、歯先に向けて導入口を設けたことによって、保持空間への矯正用ワイヤの挿入時、または保持空間からの矯正用ワイヤの取出し時に歯列矯正具が装着された歯に作用する力の向きを安定化させることができ、被矯正者が不快感を覚えるおそれを解消できる。
【００２５】
請求項８記載の発明では、請求項４記載の歯列矯正具において、膨出部に突設したバネ部材を介して係止片を台座に突設したことによって、係止片自体が大きな弾性力を有する必要がなく、係止片をプラスチックなどの樹脂製とすることができる。
【００２６】
請求項９記載の発明では、請求項８記載の歯列矯正具において、第１折曲部部分でバネ部材を介して連結した第１片と第２片とで係止片を構成したことによって、導入路を拡開させる方向に係止片を弾性変形させた場合の係止片の変形形態を安定化させることができ、係止片に異常変形が生じることを防止できる。
【００２７】
請求項１０記載の発明では、歯への着設に用いる着設面を有する台座と、この台座に一体的に接合して台座から突出させることにより矯正用ワイヤを係架支持可能とした係止片とからなる歯列矯正具としたことによって、係止片の所要形状への成形加工を容易とすることができる。さらに、係止片は、中途部を折曲させて先端を台座に略沿わせることにより略輪状として矯正用ワイヤを係架状態に保持するための保持空間を形成するとともに、係止片の先端で矯正用ワイヤを保持空間に導入するための導入路を形成したことによって、歯列矯正具に矯正用ワイヤを装着する際の工程数が少なく、しかも、歯に作用する力の方向を一定方向とすることができるので被矯正者が不快感を覚えることがなく、さらに保持空間への矯正用ワイヤの出し入れを容易とした歯列矯正具を低コストで提供できる。
【００２８】
請求項１１記載の発明では、請求項１０記載の歯列矯正具において、台座に係止片と当接して係止片を支持する支持片を突設したことによって、係止片を比較的薄板で構成しても台座で確実な支持を行うことができ、係止片を加工容易として所定形状の係止片を極めて容易に形成できる。
【００２９】
請求項１２記載の発明では、請求項１０または請求項１１に記載の歯列矯正具において、側面視略矩形状の保持空間を形成するように係止片を構成したことによって、略矩形状の断面形状を有する矯正用ワイヤを安定的に保持できる。
【００３０】
請求項１３記載の発明では、請求項１０〜１２のいずれか１項に記載の歯列矯正具において、導入路を形成する係止片の先端部分に、緊縛具で係止片の先端を台座に緊縛する際に緊縛具と係合する第１係合用凹部を設けたことによって、緊縛具によって係止片を台座に安定的に固定できる。
【００３１】
請求項１４記載の発明では、請求項１３記載の歯列矯正具において、第１係合用凹部に係合させた緊縛具と係合して支持する第２係合用凹部を台座に設けたことによって、緊縛具による係止片の緊縛を確実に行うことができる。
【００３２】
請求項１５記載の発明では、歯への着設に用いる着設面を有する略平板状の台座と、この台座から突出させた支持片に枢着して矯正用ワイヤを係架支持可能とした略Ｌ字状の係止片とで歯列矯正具を構成したことによって、歯列矯正具に矯正用ワイヤを装着する際の工程数が少なく、しかも、歯に作用する力を極めて小さくすることができるので、被矯正者が不快感を覚えることがなく、しかも係止片を回動操作することにより係止片による矯正用ワイヤの係架支持または係架支持状態の解除を極めて容易に行うことができる
請求項１６記載の発明では、歯への着設に用いる着設面を有する台座と、この台座に装着して矯正用ワイヤを係架支持可能とした係止片とからなる歯列矯正具であって、台座は、平板状の基台部と、この基台部に立設した支持壁部とを備え、係止片は、支持壁部に重なり合うように当接させる第１片部と、この第１片部に延設して基台部と略平行とした第２片部と、この第２片部に延設して支持壁部と略平行とした第３片部を備え、第１片部を支持壁部に重ね合わせて装着したことによって、歯列矯正具に矯正用ワイヤを装着する際の工程数が少なく、しかも、歯に作用する力の方向を一定方向とすることができるので被矯正者が不快感を覚えることがなく、さらに保持空間への矯正用ワイヤの出し入れを容易とした歯列矯正具を低コストで提供できる。
【００３３】
請求項１７記載の発明では、請求項１６記載の歯列矯正具において、第１片部の先端には、支持壁部と係合する係合爪を設けたことによって、比較的小さい力で台座と係止片との間に矯正用ワイヤを挿入することができ、被矯正者が不快感を覚えることを抑止できる。
【００３４】
請求項１８記載の発明では、歯への着設に用いる着設面を有する台座と、この台座に装着して矯正用ワイヤを係架支持可能とした係止片とからなる歯列矯正具であって、台座は、平板状の基台部と、この基台部に所定間隔を隔てて立設した第１の支持壁部と第２の支持壁部とを備え、係止片は、基台部に対向する対向片と、この対向片に立設して第１の支持壁部と重なり合う第１の重合片と、対向片に立設して第２の支持壁部と重なり合う第２の重合片とを備え、第１の重合片と第２の重合片とを、第１の支持壁部と第２の支持壁部にそれぞれ重合させることによって台座への装着を行うようにし、さらに、対向片には、第１の重合片よりも外方に向けて突出させた第１鍔を延設するとともに、第２の重合片よりも外方に向けて突出させた第２鍔を延設して、第１鍔と第２鍔とで対向片を反り返らせることにより前記係止片を前記台座から離脱させるように構成したことによって、歯列矯正具に矯正用ワイヤを装着する際の工程数が少なく、しかも、歯に作用する力の方向を一定方向とすることができるので被矯正者が不快感を覚えることがなく、さらに保持空間への矯正用ワイヤの出し入れを容易とした歯列矯正具を低コストで提供できる。
【発明を実施するための最良の形態】
【００３５】
本発明の歯列矯正具は、略平板状とした台座に矯正用ワイヤを係架支持する係止片を突設した歯列矯正具であって、係止片は略輪状に折曲し、係止片が形成する略輪状の保持空間に矯正用ワイヤを収容することにより係架状態に保持するようにしているものである。
【００３６】
台座は、裏面側を歯への着設に用いる着設面としており、歯表面の湾曲形状に合わせて湾曲させており、接着剤で歯の所定位置に貼着可能としている。
【００３７】
係止片は台座と一体構造とし、台座から突出させ、略輪状に折曲させた係止片の先端を台座に略沿わせるように台座に近接させることによって、矯正用ワイヤを保持空間に導入するための導入路を形成している。
【００３８】
このように、一体構造とした台座と係止片で歯列矯正具を構成し、しかも台座から突出させた係止片を折曲させて先端を台座に略沿わせることにより略輪状の矯正用ワイヤの保持空間を形成するとともに、矯正用ワイヤを保持空間に導入するための導入路を形成していることによって、歯列矯正具の低コスト化を図ることができるだけでなく、矯正用ワイヤを保持空間に導入する際に歯に作用する力の方向を安定化させて、被矯正者が不快感を覚えることを抑止できる。
【００３９】
また、本発明の歯列矯正具は、歯への着設に用いる着設面を有する略平板状の台座と、この台座に一体的に接合して台座から突出させることにより矯正用ワイヤを係架支持可能とした係止片とからなる歯列矯正具としているものである。すなわち、係止片は台座とは別体としていることにより、係止片の所要形状への成形加工を容易とすることができる。
【００４０】
そして、係止片は、中途部を折曲させて先端を台座に略沿わせることにより略輪状として矯正用ワイヤを係架状態に保持するための保持空間を形成するとともに、係止片の先端で矯正用ワイヤを保持空間に導入するための導入路を形成したことによって、矯正用ワイヤを保持空間で確実に係架支持でき、しかも保持空間への矯正用ワイヤの出し入れを容易として、矯正用ワイヤを保持空間に導入する際の工程数を少なくすることができ、しかも、歯に作用する力の方向を安定化させて、被矯正者が不快感を覚えることを抑止できる。
【００４１】
また、本発明の歯列矯正具は、歯への着設に用いる着設面を有する略平板状の台座と、この台座から突出させた支持片に枢着して矯正用ワイヤを係架支持可能とした略Ｌ字状の係止片とからなる歯列矯正具であって、台座には、係止片の基端を回動自在に枢着して支持する支持片を突設しているものである。
【００４２】
したがって、係止片を回動操作することにより係止片による矯正用ワイヤの係架支持または係架支持状態の解除を容易に切り替えることができ、矯正用ワイヤを係架支持する際の工程数を少なくすることができ、しかも、歯に作用する力の方向を安定化させて、被矯正者が不快感を覚えることを抑止できる。
【００４３】
また、本発明の歯列矯正具は、歯への着設に用いる着設面を有する台座と、この台座に装着して矯正用ワイヤを係架支持可能とした係止片とからなる歯列矯正具であって、台座は、平板状の基台部と、この基台部に立設した支持壁部とを備え、係止片は、支持壁部に重なり合うように当接させる第１片部と、この第１片部に延設して基台部と略平行とした第２片部と、この第２片部に延設して支持壁部と略平行とした第３片部を備え、第１片部を支持壁部に重ね合わせて装着しているものである。
【００４４】
したがって歯列矯正具に矯正用ワイヤを装着する際の工程数を少なくすることができ、しかも、歯に作用する力の方向を一定方向とすることができるので被矯正者が不快感を覚えることがなく、しかも歯列矯正具を低コストで提供できる。
【００４５】
また、本発明の歯列矯正具は、歯への着設に用いる着設面を有する台座と、この台座に装着して矯正用ワイヤを係架支持可能とした係止片とからなる歯列矯正具であって、台座は、平板状の基台部と、この基台部に所定間隔を隔てて立設した第１の支持壁部と第２の支持壁部とを備え、係止片は、基台部に対向する対向片と、この対向片に立設して第１の支持壁部と重なり合う第１の重合片と、対向片に立設して第２の支持壁部と重なり合う第２の重合片とを備え、第１の重合片と第２の重合片とを、第１の支持壁部と第２の支持壁部にそれぞれ重合させることによって台座への装着を行うものである。
【００４６】
さらに、対向片には、第１の重合片よりも外方に向けて突出させた第１鍔を延設するとともに、第２の重合片よりも外方に向けて突出させた第２鍔を延設して、第１鍔と第２鍔とで対向片を反り返らせることにより前記係止片を前記台座から離脱させるように構成したことによって、歯列矯正具に矯正用ワイヤを装着する際の工程数を少なくすることができ、しかも、歯に作用する力の方向を一定方向とすることができるので被矯正者が不快感を覚えることを防止できる。また、保持空間への矯正用ワイヤの出し入れを容易とした歯列矯正具を低コストで提供できる。
【００４７】
以下において、図面に基づいて第１実施形態を具体的に説明する。図１は、第１実施形態の歯列矯正具Ａの左側面図、図２は同正面図、図３は同背面図、図４は同平面図、図５は同底面図である。歯列矯正具Ａの右側面図は左側面図と対称にあらわれる。
【００４８】
本実施形態の歯列矯正具Ａは金属製であって、歯への着設に用いる着設面11を有する略平板状の台座10と、この台座10と一体であって、台座10から突出させて矯正用ワイヤを係架支持可能とした係止片20とから構成している。
【００４９】
歯列矯正具Ａに用いる金属体は、医療的に安全性を確認されている金属であれば何であってもよいが、後述するように係止片20に所要の力を加えて変形させた後、力を取り去ることによって元の形状に回復しようとする所定の弾性を有している金属が望ましい。あるいは、形状記憶合金を用いることもできる。
【００５０】
台座10は、裏面の着設面11が歯への貼着における所要の貼着強度を有する大きさとなるようにしており、表面には、係止片20の基端部21の部分を係止片20の突出方向に膨出させた膨出部12を設けている。
【００５１】
着設面11は、緩やかな湾曲形状となっている歯の表面に確実に貼着するために、歯の湾曲形状に略沿わせた湾曲形状としている。また、本実施形態では、説明の便宜上、図５に示すように、台座10の着設面11は単なる平面としているが、台座10を歯に貼着するために用いる接着剤との接触面積を大きくするために適宜の凹凸を設けてもよい。
【００５２】
台座10に設けた膨出部12の頂部には平坦面13を設けている。この平坦面13は、基本的には着設面11と略平行とはならず、歯列矯正具Ａを口の外に向いた歯の面に装着した際に、ほぼ正面を向くようにしている。
【００５３】
係止片20は、本実施形態では、所要寸法の幅を有する帯状の金属板で構成しており、基端部21を台座10の膨出部12における平坦面13の一側端部に位置させ、平坦面13と略直交する方向に突出させており、さらに中途部で折曲して略輪状としながら先端部22を台座10の膨出部12の側面に略沿わせている。
【００５４】
このように、係止片20を略輪状に折曲することによって矯正用ワイヤを係架状態に保持するための保持空間31を形成するとともに、係止片20の先端部22と台座10の膨出部12の側面とで矯正用ワイヤを保持空間31に導入するための導入路32を形成することによって、矯正用ワイヤを確実に係架支持でき、しかも保持空間31への矯正用ワイヤの出し入れを容易とした歯列矯正具Ａとすることができる。
【００５５】
特に、台座10と係止片20とを一体としているとともに、係止片20を略輪状として保持空間31を形成しているので、歯列矯正具Ａの製造コストを大きく低減でき、安価で歯列矯正具Ａを提供できる。
【００５６】
係止片20の先端部22には、図１に示すように、係止片20の幅方向に伸延させた係合用切欠23を設けている。この係合用切欠23は、図６に示すように、矯正用ワイヤＷを保持空間31に挿入する場合に、導入路32を拡開させるために設けているものであって、係合用切欠23に適宜の探針を係合させて導入路32を拡開させる方向に係止片20を弾性変形させやすくしている。したがって、極めて容易に導入路32の拡開操作を行うことができる。
【００５７】
台座10の膨出部12における平坦面13に略直交させて突出させた係止片20には、中途部に平坦面13と略平行となるように折曲した第１折曲部24を設け、さらにこの第１折曲部24よりも先端部22側に第２折曲部25を設けて、図１に示すように、略矩形状の保持空間31を形成している。
【００５８】
このように保持空間31を略矩形形状とすることにより、一般的に用いられる断面が略矩形の矯正用ワイヤＷを安定的に保持でき、矩形断面の矯正用ワイヤＷによって生じさせた矯正力を効率よく作用させることができる。
【００５９】
しかも、係止片20には、第１折曲部24と第２折曲部25の２つの折曲部を設けていることによって、導入路32を拡開させる方向に係止片20を弾性変形させた場合に係止片20に生じる変形応力を分散させることができ、導入路32を容易に拡開させることができるとともに、係止片20に異常変形が生じることを防止できる。
【００６０】
係止片20における第１折曲部24と第２折曲部25の間の領域は、図１に示すように、膨出部12における平坦面13と略平行としており、この領域が、歯列矯正具Ａを口の外に向いた歯の面に装着した際に、ほぼ正面を向くようにしている。
【００６１】
したがって、本実施形態の歯列矯正具Ａを装着した被矯正者は、歯列矯正具Ａをコンパクトに見せることができ、外観を向上させることができる。
【００６２】
係止片20の先端部22は、上記したように台座10の膨出部12の側面に略沿わせており、特に膨出部12の側面には略４分の１円弧状のメニスカス状となった湾曲面14を設け、係止片20の先端部22は、この湾曲面14に略沿った湾曲形状としている。
【００６３】
このように、係止片20の先端部22を台座10の膨出部12の側面に略沿わせることによって、矯正用ワイヤＷを保持空間31に挿入する導入路32を容易に構成でき、しかも、導入路32を湾曲形状としていることによって保持空間31への矯正用ワイヤの挿入を円滑に行うことができる。そのうえ、膨出部12にメニスカス状となった湾曲面14を設けていることによって、膨出部12の強度向上を図ることができる。
【００６４】
また、膨出部12に設けた湾曲面14における膨出部12の基端寄りの位置には、図１及び図６に示すように、後述する緊縛具Ｇを嵌合させる緊縛具仮止め用凹部15を設けている。
【００６５】
上記した歯列矯正具Ａでは、保持空間31に挿入した矯正用ワイヤＷを保持空間31の内部に強く固定するのではなく、保持空間31の内部に保持されながら比較的自由に動くことができるようにしている。
【００６６】
このように、矯正用ワイヤＷが保持空間31の内部で動くことにより矯正力が生じ、この矯正力が小さくなるように歯列が矯正されるものである。
【００６７】
本発明の歯列矯正具Ａでは、係止片20に第１折曲部24と第２折曲部25を設けていることにより比較的大きな復元力が生じるようにすることができ、この復元力を利用して保持空間31の内部に保持された矯正用ワイヤＷを適正位置に保持することができる。
【００６８】
保持空間31に挿入する矯正用ワイヤＷは、通常、矯正初期では断面円形の細い金属線を用い、順次径を大きくし、最終段階で断面矩形の金属線を用いるようにしており、径寸法が大きくなるにしたがって係止片20による矯正用ワイヤＷの保持が不十分となるおそれがあるので、図７に示すように、係止片20の先端部22をワイヤあるいは輪ゴムなどの緊縛具Ｇを用いて膨出部12に緊縛するようにしている。
【００６９】
特に、係止片20の先端部22には、緊縛具Ｇと係合する凹状溝からなる第１係合用凹部26を設けるとともに、膨出部12には緊縛具Ｇと係合する凹状溝からなる第２係合用凹部16を設けている。
【００７０】
このように、第１係合用凹部26と第２係合用凹部16を設けることによって、歯列矯正具Ａに緊縛具Ｇを確実に装着して、緊縛具Ｇにずれが生じることを防止できる。
【００７１】
しかも、第１係合用凹部26は、膨出部12と当接する係止片20の先端部22の外側面に設けるとともに、第２係合用凹部16は、係止片20の基端部21の近傍となる膨出部12に設け、第１係合用凹部26と第２係合用凹部16とを巻回した緊縛具Ｇが、膨出部12の平坦面13よりも台座10の裏面寄りに位置するように装着して、緊縛具Ｇが膨出部12を巻回するようにしている。これにより、係止片20を緊縛具Ｇによって強固に固定することができる。
【００７２】
特に、緊縛具Ｇを膨出部12の平坦面13よりも台座10の裏面寄りに位置させることによって、緊縛具Ｇが保持空間31に掛かることを防止でき、緊縛具Ｇが矯正用ワイヤＷに接触して矯正用ワイヤＷの動きを阻害することによる矯正力の生起を阻害することを防止できる。
【００７３】
ここで、歯列矯正具Ａに輪ゴムからなる緊縛具Ｇを装着する場合には、図６に示すように、あらかじめ緊縛具Ｇを緊縛具仮止め用凹部15と第２係合用凹部16とに掛けて歯列矯正具Ａに仮装着しておき、矯正用ワイヤＷを保持空間31に挿入した後に、緊縛具仮止め用凹部15から第１係合用凹部26に緊縛具Ｇを掛け替えることによって、膨出部12を巻回する位置に緊縛具Ｇを装着可能としている。
【００７４】
このように、緊縛具仮止め用凹部15を用いて緊縛具Ｇを仮装着しておくことによって、緊縛具Ｇを矯正用ワイヤＷに接触させることなく歯列矯正具Ａに装着できる。
【００７５】
図８〜１０は、本実施形態の歯列矯正具Ａを歯Ｔに装着した状態の説明図である。歯列矯正具Ａは、接着剤（図示せず）を用いて歯Ｔに貼着しており、特に、図８及び図９に示すように口の外に向いた歯Ｔの表面に貼着した場合には、係止片20における第１折曲部24と第２折曲部25の間の領域がほぼ正面を向くことによって、歯列矯正具Ａをコンパクトに見せることができ、外観を向上させることができる。
【００７６】
また、図１０に示すように、歯列矯正具Ａを歯Ｔの裏面に貼着してもよい。
【００７７】
歯列矯正具Ａを歯Ｔに貼着する場合には、導入路32の導入口33は、図８及び図１０に示すように、歯先に向けることが望ましい。
【００７８】
導入口33を歯先に向けることによって、保持空間31への矯正用ワイヤＷの挿入時、または保持空間31からの矯正用ワイヤＷの取出し時に歯列矯正具Ａが装着された歯Ｔに作用する力の向きを安定化させることができ、被矯正者が不快感を覚えるおそれを解消できる。
【００７９】
なお、歯列矯正具Ａを歯Ｔの表面に貼着する場合には、施術者が比較的作業性が良好な姿勢を取ることができるので、図９に示すように導入口33を歯Ｔの根元に向けて装着しても、歯Ｔに作用する力の向きを安定化させることができ、被矯正者が不快感を覚えるおそれを解消できる。
【００８０】
本実施形態の歯列矯正具の変容例として、金属製ではなくプラスチックなどの樹脂製とすることもでき、特に、樹脂製とした場合には、図１１に示すように、樹脂製の台座10'に板バネで構成した第１バネ部材41を立設し、この第１バネ部材41を介して樹脂製の係止片20'を装着することにより、係止片20'の十分な弾性変形を可能とするとともに、十分な矯正力の生じさせることができる歯列矯正具Ｂとすることができる。
【００８１】
第１バネ部材41は、断面を略矩形とした棒状の金属体であって、中途部で屈曲させている。
【００８２】
そして、第１バネ部材41は、台座10'の膨出部12'に設けた挿入孔に一端を挿入して固定し、さらに、他端を係止片20'に設けた挿入孔に挿入して固定し、第１バネ部材41を介した係止片20'の台座10'への装着を可能としている。
【００８３】
第１バネ部材41は、医療的に安全性が確認されている金属からなる金属体であって、所要の弾性力を有するようにしており、本実施形態では屈曲部分が約６０°の角度を成すようにして、この第１バネ部材41を介して係止片20'を台座10'に装着した場合に、係止片20'が台座10'の頂部に設けた平坦面13'と略直交するようにして付勢力を生じさせるようにしている。この付勢力によって係止片20'が矯正用ワイヤＷを適正に保持するようにしている。
【００８４】
係止片20'は、上記した金属製の歯列矯正具Ａと同様に、中途部に平坦面13'と略平行となるように折曲した第１折曲部24'を設け、さらにこの第１折曲部24'よりも先端部22'側に第２折曲部25'を設けて略矩形状の保持空間31'を形成している。
【００８５】
特に、本実施形態では、係止片20'は、第１折曲部24'部分で連結した第１片20'aと第２片20'bとで構成し、第１片20'aと第２片20'bとは、第２バネ部材42を介して連結している。
【００８６】
第２バネ部材42は、第１バネ部材41と同じように、断面を略矩形とした棒状の金属体であって、中途部で屈曲させており、一端を第１片20'aに設けた挿入孔に挿入して固定し、さらに、他端を第２片20'bに設けた挿入孔に挿入して固定し、第２バネ部材42を介した第１片20'aと第２片20'bとの連結を可能としている。
【００８７】
第２バネ部材42も、医療的に安全性が確認されている金属からなる金属体であって、所要の弾性力を有するようにしており、本実施形態では屈曲部分が約６０°の角度を成すようにして、この第２バネ部材42を介して第１片20'aと第２片20'bとを接続した場合に、第１片20'aと第２片20'bとが略直交するようにして付勢力を生じさせるようにしている。この付勢力によって係止片20'が矯正用ワイヤＷを適正に保持するようにしている。
【００８８】
特に、係止片20'には第１バネ部材41と第２バネ部材42とを設けたことによって、導入路32'を拡開させる方向に係止片20'を弾性変形させた場合の係止片20'の変形形態を安定化させることができ、係止片20'に異常変形が生じることを防止できる。
【００８９】
このように、弾性変形する第１バネ部材41及び第２バネ部材42を用いることによって、台座10'、及び第１片20'aと第２片20'bとから構成される係止片20'はそれぞれプラスチックなどの樹脂製とすることができるので、成形性を向上させることができるとともに、歯列矯正具Ｂの低コスト化を図ることができる。
【００９０】
以下において、図面に基づいて第２実施形態を具体的に説明する。図１２は、第２実施形態の歯列矯正具Ｃの左側面図、図１３は同正面図である。なお、図１２の左側面図の歯列矯正具Ｃでは、後述するように台座50に輪ゴムからなる緊縛具G'を仮装着した状態を示しており、図１３の正面図の歯列矯正具Ｃでは、緊縛具G'を仮装着していない状態を示している。
【００９１】
本実施形態の歯列矯正具Ｃは、歯への着設に用いる着設面51を有する金属製の台座50と、この台座50に接合した所定長さの金属製の帯体を矩形輪状に成形した係止片60とから構成している。
【００９２】
歯列矯正具Ｃに用いる金属体も、医療的に安全性を確認されている金属であれば何であってもよいが、後述するように係止片60に所要の力を加えて変形させた後、力を取り去ることによって元の形状に回復しようとする所定の弾性を有している金属が望ましい。特に、係止片60には形状記憶合金を用いることもできる。
【００９３】
台座50は、裏面に歯への貼着に用いる着設面51を設けた平板状の基板部52と、この基板部52の表面に設けた係止片接合部53とで構成している。
【００９４】
係止片接合部53は、基板部52の表面に側面視山形状に膨出させた膨出体53aと、この膨出体53aの一方の端部部分に基板部52に対して起立状に突設した支持片53bとで構成している。山形状とした膨出体53aは、第１傾斜面53a-1と第２傾斜面53a-2を備えており、支持片53bは、本実施形態では第２傾斜面53a-1の端部部分に設けている。
【００９５】
支持片53bは、基板部52を歯に装着した際に、正面に向けて突出するように基板部52に対して突設している。特に、支持片53bの膨出体53a側の側面と、第２傾斜面53a-1とは略直角に交わるようにしている。
【００９６】
また、支持片53bの基端部には、後述するように第１係合用凹部63に係合させた緊縛具G'の一部と係合する第２係合用凹部53a-3を設けており、この第２係合用凹部53a-3は膨出体53aを周回するように設けて、図１２に示すように、台座50に輪ゴムからなる緊縛具G'を安定的に仮装着できるようにしている。
【００９７】
金属製の帯体で構成した係止片60は、一方の端部から、それぞれ屈曲部によって区分される第１片部60-1と、第２片部60-2と、第３片部60-3と、第４片部60-4と、第5片部60-5と、第６片部60-6と、第７片部60-7とを有している。
【００９８】
第１片部60-1は、第１傾斜面53a-1の中途部に設けた係合凹部53a-4に挿入されて、係止片60を台座50に強固に係合固定させるようにしている。
【００９９】
さらに、第２片部60-2は台座50の第１傾斜面53a-1に当接させ、第３片部60-3は台座50の第２傾斜面53a-1に当接させ、第４片部60-4とは台座50の支持片53bに当接させ、第5片部60-5は第４片部60-4と直角を成すように屈曲させて第３片部60-3と平行とし、第６片部60-6は、第5片部60-5と直角を成すように屈曲させて第４片部60-4と平行とし、第７片部60-7は第２片部60-2と平行となるように第６片部60-6に対して屈曲させている。
【０１００】
すなわち、第３片部60-3と、第４片部60-4と、第5片部60-5と、第６片部60-6とで矯正用ワイヤを係架状態に保持する略矩形輪状の保持空間61を形成するとともに、台座に略沿った第２片部60-2と第７片部60-7とで保持空間61に矯正用ワイヤを導入するための導入路62を形成している。
【０１０１】
そのうえ、第６片部60-6と第７片部60-7との間となる屈曲部分には凹状に窪ませた第１係合用凹部63を設けている。
【０１０２】
特に、係止片60は、第２片部60-2と、第３片部60-3と、第４片部60-4において台座50に溶接してもよいし、適宜の接着剤で接着固定してもよい。
【０１０３】
このように構成した第２実施形態の歯列矯正具Ｃに矯正用ワイヤを係架支持させる場合には、図１４に示すように、第２片部60-2と第７片部60-7とで形成した導入路62を押し広げるように係止片60を変形させて、図１５に示すように、導入路62から保持空間61に矯正用ワイヤW'を導入させて、矯正用ワイヤW'を係止片60で係架支持するようにしている。
【０１０４】
保持空間61への矯正用ワイヤW'の導入後、図１５に示すように、係止片60に設けた第１係合用凹部63と、台座50に設けた第２係合用凹部53a-3とにそれぞれ緊縛具G'を係合させて、緊縛具G'で係止片60の先端を台座50に緊縛している。ここで、第１係合用凹部63及び第２係合用凹部53a-3は、それぞれ第３片部60-3よりも基板部52側に設けて、第１係合用凹部63と第２係合用凹部53a-3とに掛け回した緊縛具G'が矯正用ワイヤW'と接触しないようにしている。
【０１０５】
係止片60は、第２片部60-2と、第３片部60-3と、第４片部60-4とが台座50に強固に支持されていることによって、導入路62を押し広げる際に係止片60を容易に弾性変形させて矯正用ワイヤW'の導入を行うことができ、矯正用ワイヤW'を装着する際に歯に作用する力の方向を一定方向とすることができ、しかもその力の作用する時間を極めて短時間とすることができるので、被矯正者が不快感を覚えるおそれを解消できる。
【０１０６】
また、係止片60は台座50とは別体としていることによって、係止片60を加工容易として所定形状の係止片60を極めて容易に形成できるとともに、台座50に設けた支持片53bに係止片60を当接させながら装着可能としているので、比較的薄板とした係止片60を台座50で確実な支持可能とすることができ、比較的小さい力で変形する係止片60とすることができる。したがって、係止片60を変形させて矯正用ワイヤW'を装着する際に、歯に作用する力が大きくなることを防止できる。
【０１０７】
特に、係止片60は、第３片部60-3と、第４片部60-4と、第5片部60-5と、第６片部60-6とで略矩形輪状の保持空間61を形成していることによって、略矩形状の断面形状を有する矯正用ワイヤW'を安定的に保持できる。
【０１０８】
上述した実施形態では、第１係合用凹部63と第２係合用凹部53a-3にゴム製の緊縛具G'を掛け回して係止片60の先端を緊縛しているが、緊縛具G'はゴム製に限定するものではなく、例えば針金であってもよい。
【０１０９】
緊縛具G'として針金を用いる場合には、図１６に示すように、側面視山形状とした膨出体53aの頂部部分に挿通用凹部53a-5を設けて、この挿通用凹部53a-5を設けた台座50に係止片60を装着した際に挿通孔を形成し、この挿通孔と第１係合用凹部63に、図１７に示すように緊縛用針金ｇを掛け回して、この緊縛用針金ｇの両端部を互いに捻り合わせて固定してもよい。
【０１１０】
このように膨出体53aの頂部部分に設けた挿通用凹部53a-5を利用して係止片60の先端を緊縛することにより緊縛具G'の軽量化を図ることができるので、違和感を覚えにくくすることができる。
【０１１１】
以下において、図面に基づいて第３実施形態を具体的に説明する。第３実施形態の歯列矯正具Ｄは、図１８に示すように歯への着設に用いる着設面71を有する金属製の台座70と、この台座70に一端を回動自在に枢着した回動係止片80とで構成している。回動係止片80は枢軸81を介して台座70に枢着している。
【０１１２】
本実施形態では、台座70及び回動係止片80はステンレスで構成しているが、ステンレス製に限定するものではなく、医療的に安全性を確認されている金属であればよく、場合によってはプラスチック製であってもよい。
【０１１３】
台座70は、裏面に歯への貼着に用いる着設面71を設けた平板状の基板部72と、この基板部72の表面に設けた矯正用ワイヤ収容部73とで構成している。
【０１１４】
矯正用ワイヤ収容部73は、基板部72の表面側に膨出状に隆起させた隆起体73aと、この隆起体73aに突設した第１支持片73bと第２支持片73cとで構成している。
【０１１５】
第１支持片73bと第２支持片73cは、それぞれ所定間隔を隔てて互いに平行に配置しており、特に、基板部72を歯に装着した際に、正面に向けて突出するように基板部72に対して突設している。さらに、基板部72を歯に装着した際において、第１支持片73bが歯根側に位置し、第２支持片73cが歯先側に位置するようにしている。
【０１１６】
第１支持片73bと第２支持片73cの間には矯正用ワイヤW"を挿入可能としており、第１支持片73bと第２支持片73cの間における隆起体73aの上面を平坦面として、断面矩形形状の矯正用ワイヤW"を安定的に保持可能としている。また、第１支持片73bの突出側の端部には枢軸81を装着可能としている。
【０１１７】
回動係止片80は、第２支持片73cと重合する重合片80aと、この重合片80aから垂直方向に突出させて枢軸81を介して第１支持片73bに枢着される連結片80bとで略Ｌ字状に構成している。したがって、回動係止片80は枢軸81を介して第１支持片73bに対して回動自在となっている。
【０１１８】
そして、重合片80aには、第２支持片73cと重合する重合面側に係止用突起82を設けるとともに、台座70の隆起体73aには係止用突起82と係合する係止用凹部74を設けて、係止用突起82と係止用凹部74とを係合させることにより、回動係止片80を台座70に係着して矯正用ワイヤW"を係架支持可能としている。
【０１１９】
係止用突起82と係止用凹部74との係合を解除することによって、図１９に示すように、回動係止片80は台座70に対して回動自在となり、第１支持片73bと第２支持片73cの間への矯正用ワイヤW"の出し入れを極めて容易に行うことができるので、矯正用ワイヤW"の歯列矯正具Ｄへの装着作業中に歯に余計な力が作用することがほとんどなく、被矯正者が不快感を覚えるおそれを解消できる。しかも回動係止片80を回動操作することにより回動係止片80による矯正用ワイヤW"の係架支持または係架支持状態の解除を極めて容易に行うことができる。
【０１２０】
以下において、図面に基づいて第４実施形態を具体的に説明する。図２０は、第４実施形態の歯列矯正具Ｅの斜視図、図２１は同背面図、図２２は同正面図、図２３は同縦断面図である。
【０１２１】
本実施形態の歯列矯正具Ｅは、歯への着設に用いる着設面91を有する金属製の台座90と、この台座90に装着した金属製の帯体からなる係止片97とから構成している。
【０１２２】
歯列矯正具Ｅに用いる金属体も、医療的に安全性を確認されている金属であれば何であってもよいが、後述するように係止片97に所要の力を加えて変形させた後、力を取り去ることによって元の形状に回復しようとする所定の弾性を有している金属が望ましい。特に、係止片97には形状記憶合金を用いることもできる。
【０１２３】
台座90は、平板状の基台部92と、この基台部92の一方の端部に起立状に立設させた支持壁部93とで略Ｌ字状に構成している。
【０１２４】
基台部92は平面視矩形状で所要の厚みを有する板体であって、基台部92の周面には、着設面91寄りに凹状の係合溝94を形成している。この係合溝94は、後述するように係止片97の端部を緊縛固定するための緊縛具G"を装着するためのものである（図２３参照）。
【０１２５】
さらに、平面視矩形状とした基台部92の１組の対向した辺における一方側に沿って、基台部92上面には基台部92と等幅とした平板状の支持壁部93を立設するとともに、他方側に沿って基台部92周面には前傾状の傾斜面95を形成している。
【０１２６】
支持壁部93には、図２３に示すように、係止片97の端部に設けた係止爪98と係合して係止片97を装着可能とする係合溝96を設けている。本実施形態では、特に、係合溝96の上側縁には下方に向けて膨出させたフランジ96aを設け、このフランジ96aに係止片97の係止爪98を係合させている。
【０１２７】
なお、台座90の基台部92には、図２３に示すように、必要に応じて着設面91に着設面91よりも面積を大きくした拡張板102を装着して、歯との着設面積を大きくするようにしてもよい。
【０１２８】
係止片97は、図２０及び図２３に示すように、支持壁部93に重なり合うように当接させる第１片部97aと、この第１片部97aに延設して基台部92と略平行とした第２片部97bと、この第２片部97bに延設して支持壁部97と略平行とした第３片部97cとを備えており、門形状となるようにしている。
【０１２９】
そして、係止片97の第１片部97aを台座90の支持壁部93に重ね合わせながら装着することにより、係止片97と台座90とで矯正用ワイヤを係架支持する矩形状の保持空間100を形成している。
【０１３０】
第１片部97aの先端部には、図２４に示すように、前述したように支持壁部93に設けた係合溝96のフランジ96aと係合する係止爪98を突設しており、係止爪98をフランジ96aに係合させることによって係止片97を台座90に容易に装着可能としている。
【０１３１】
特に、支持壁部93に重ね合わせる係止片97の第１片部97aは、門形状とした係止片97の内側面を支持壁部93に当接させるようにしており、支持壁部93を係止片97で覆い包むようにしている。そして、係止爪98は第３片部97c側に突出させるとともに、折り返し状に湾曲させている。フランジ96aには、湾曲した係止爪98と合致する湾曲面を設けている。
【０１３２】
また、第３片部97cは、図２２に示すように、先端に向けて漸次広幅状としており、さらに、先端部には、台座90の基台部92前端部分に設けた前傾状の傾斜面95と接するように湾曲させたスカート99を設け、このスカート99と傾斜面95との間を保持空間100に矯正用ワイヤを導入するための導入路101としている。
【０１３３】
スカート99には、適宜の探針を係合可能とした係止孔99aを設けており、この係止孔99aに探針を係合させることにより係止片97の第３片部97cを引き上げて導入路101を広げ、導入路101を介して保持空間100に矯正用ワイヤを導入させやすくしている。
【０１３４】
このように、Ｌ字状とした台座90に門形状とした係止片97を、一部を互いに重ね合わせて装着したことによって、係止片97を板バネ的に変形させることができるので、歯列矯正具Ｅに矯正用ワイヤを装着する際に歯に作用する力の方向を一定方向とすることができ、被矯正者が不快感を覚えることを防止できる。しかも歯列矯正具を低コストとすることができる。
【０１３５】
特に、係止片97の第１片部97aの先端には、台座90の支持壁部93と係合する係合爪98を設けたことによって、係止片97を台座90に極めて容易に装着できるとともに、比較的小さい力で導入路101を押し広げて台座90と係止片97との間に矯正用ワイヤを挿入することができ、被矯正者が不快感を覚えることを抑止できる。
【０１３６】
すなわち、係止爪98が係合される支持壁部93の係合溝96に設けたフランジ96aは下方に向けて膨出状とするとともに、係止爪98は膨出状のフランジ96aに沿わせて湾曲させ、しかも、支持壁部93に重ね合わせる係止片97の第１片部97aは、門形状とした係止片97の内側面を支持壁部93に当接させていることによって、導入路101を押し広げる際に係止片97の変形を促せやすく、極めて小さい力で導入路101を拡開させることができる。
【０１３７】
なお、本実施形態では、係止片97の第１片部97aと第２片部97bとは、図２４に示すように等幅としているが、変容例として、図２５に示すように、第１片部97a'と、第２片部97b'と、第３片部97a'とからなる係止片97'において、第２片部97b'は第１片部97a'よりも太幅としてもよい。この場合、第２片部97b'の幅寸法は、台座90の基台部92の幅寸法と等しくしている。
【０１３８】
本実施形態の歯列矯正具Ｅでは、歯に装着した場合に第２片部97b'が正面を向くようにしているので、一様な表面の第２片部97b'が正面を向くことによって、装着状態における外観の向上を図ることができる。第３片部97a'の先端部分にも、スカート99と、適宜の探針を係合可能とした係止孔99aを設けている。
【０１３９】
以下において、図面に基づいて第５実施形態を具体的に説明する。図２６は第５実施形態の歯列矯正具Ｆの分解斜視図、図２７は５実施形態の歯列矯正具Ｆの斜視図、図２８は図２７の縦断面図である。
【０１４０】
本実施形態の歯列矯正具Ｆは、歯への着設に用いる着設面111を有する金属製の台座110と、この台座110に装着した金属製の帯体からなる係止片120とから構成している。
【０１４１】
歯列矯正具Ｆに用いる金属体も、医療的に安全性を確認されている金属であれば何であってもよく、特に、係止片120には所定の弾性を有している金属を用いることが望ましい。あるいは、係止片120には形状記憶合金を用いることもできる。
【０１４２】
台座110は、平板状の基台部112と、この基台部112に所定間隔を隔てて起立状に立設した第１支持壁部113と第２支持壁部114とで構成している。特に、第１支持壁部113及び第２支持壁部114は、平面視矩形状に構成した基台部112の両端部にそれぞれ設けて、側面視略Ｕ字状に構成している。
【０１４３】
第１支持壁部113及び第２支持壁部114の外側面には、それぞれ後述するように係止片120の第１重合片123及び第２重合片124が嵌め合わされる第１凹部117及び第２凹部118を設けている。
【０１４４】
係止片120は、台座110の基台部112に対向する平板状の対向片121と、この対向片121に立設して第１支持壁部113と重なり合う第１重合片123と、対向片121に立設して第２支持壁部114と重なり合う第２重合片124とを備えており、第１重合片123は側面視Ｕ字状となった台座110の第１支持壁部113の外側面と重なり合うとともに、第２重合片124は側面視Ｕ字状となった台座110の第２支持壁部114の外側面と重なり合い、係止片120を台座110に外嵌するように構成している。
【０１４５】
特に、第１重合片123は、第１支持壁部113の外側面に設けた第１凹部117の幅寸法と略一致させた幅寸法として、第１重合片123が第１凹部117に嵌め合わされるようにするとともに、第２重合片124は、第２支持壁部114の外側面に設けた第２凹部118の幅寸法と略一致させた幅寸法として、第２重合片124が第２凹部118に嵌め合わされるようにしている。
【０１４６】
さらに、第１重合片123及び第２重合片124の先端縁には、側面視逆Ｕ字状となった係止片120の内側に向けて折り曲げた第１係止爪125及び第２係止爪126とを設けている。一方、第１支持壁部113及び第２支持壁部114の外側面には、図２８に示すように、第１係止爪125及び第２係止爪126がそれぞれ係合される係合縁を形成するための第１係合用溝115及び第２係合用溝116を設け、この第１係合用溝115及び第２係合用溝116の側縁を第１係止爪125及び第２係止爪126がそれぞれ係合される係合縁としている。
【０１４７】
また、係止片120の対向片121には、第１重合片123よりも外方に向けて突出させた第１鍔127を延設するとともに、第２重合片124よりも外方に向けて突出させた第２鍔128を延設して、係止片120が側面視略π字状となるようにしている。
【０１４８】
第１鍔127及び第２鍔128は、この第１鍔127と第２鍔128を摘んで第１重合片123と第２重合片124とを離隔させるように係止片120の対向片121を反り返すことによって、互いに係合した第１係止爪125と第１係合用溝115の係合縁、及び第２係止爪126と第２係合用溝116の係合縁との係合状態を解除させることができるようにしている。
【０１４９】
このように構成した歯列矯正具Ｆを用いる場合には、台座110を歯の所定位置に接着剤などを用いて装着し、次いで、台座110の基台部112と、第１支持壁部113と、第２支持壁部114とで構成された凹部に矯正用ワイヤを挿入し、次いで、台座110に係止片120を外嵌することによって、従来よりも少ない工程数で極めて容易に歯列矯正具Ｆに矯正用ワイヤを装着することができる。
【０１５０】
なお、台座110には、図２８に示すように、歯への装着をより強固に行うために適宜の補助基板130を設け、この補助基板130を介して台座110を歯に装着してもよい。補助基板130は平板状の形態に限定するものではなく、歯表面の湾曲形状に合わせて適宜の形状としてよい。
【０１５１】
このように、係止片120を台座110に外嵌させるように構成したことによって、歯列矯正具Ｆへの矯正用ワイヤの装着を極めて容易に行うことができ、しかも、台座110からの係止片120の取り外しを容易に行うことができるので、歯に余計な力を作用させることを防止でき、被矯正者が不快感を覚えることを防止できる。
【図面の簡単な説明】
【０１５２】
【図１】第１実施形態の歯列矯正具の右側面図である。
【図２】第１実施形態の歯列矯正具の正面図である。
【図３】第１実施形態の歯列矯正具の背面図である。
【図４】第１実施形態の歯列矯正具の平面図である。
【図５】第１実施形態の歯列矯正具の底面図である。
【図６】歯列矯正具への矯正用ワイヤの挿入操作の説明図である。
【図７】歯列矯正具に矯正用ワイヤを挿入した状態の説明図である。
【図８】歯列矯正具を歯に装着した状態の説明図である。
【図９】歯列矯正具を歯に装着した状態の説明図である。
【図１０】歯列矯正具を歯に装着した状態の説明図である。
【図１１】第１実施形態の変容例の歯列矯正具の右側面図である。
【図１２】第２実施形態の歯列矯正具の左側面図である。
【図１３】第２実施形態の歯列矯正具の正面図である。
【図１４】第２実施形態の歯列矯正具への矯正用ワイヤの挿入操作の説明図である。
【図１５】第２実施形態の歯列矯正具に矯正用ワイヤを挿入した状態の説明図である。
【図１６】第２実施形態の変容例の歯列矯正具の左側面図である。
【図１７】第２実施形態の変容例の歯列矯正具の左側面図である。
【図１８】第３実施形態の歯列矯正具の左側面図である。
【図１９】第３実施形態の歯列矯正具への矯正用ワイヤの挿入操作の説明図である。
【図２０】第４実施形態の歯列矯正具の斜視図である。
【図２１】第４実施形態の歯列矯正具の背面図である。
【図２２】第４実施形態の歯列矯正具の正面図である。
【図２３】第４実施形態の歯列矯正具の縦断面図である。
【図２４】第４実施形態の歯列矯正具における係止辺の斜視図である。
【図２５】第４実施形態の変容例の歯列矯正具の右側面図である。
【図２６】第５実施形態の変容例の歯列矯正具の分解斜視図である。
【図２７】第５実施形態の変容例の歯列矯正具の斜視図である。
【図２８】図２７の縦断面図である。
【符号の説明】
【０１５３】
Ａ  歯列矯正具
Ｗ  矯正用ワイヤ
Ｇ  緊縛具
10  台座
11  着設面
12  膨出部
13  平坦面
14  湾曲面
15  緊縛具仮止め用凹部
16  第２係合用凹部
20  係止片
21  基端部
22  先端部
23  係合用切欠
24  第１折曲部
25  第２折曲部
26  第１係合用凹部
31  保持空間
32  導入路
33  導入口
【図１】
2006297052.tif 000003
【図２】
2006297052.tif 000004
【図３】
2006297052.tif 000005
【図４】
2006297052.tif 000006
【図５】
2006297052.tif 000007
【図６】
2006297052.tif 000008
【図７】
2006297052.tif 000009
【図８】
2006297052.tif 000010
【図９】
2006297052.tif 000011
【図１０】
2006297052.tif 000012
【図１１】
2006297052.tif 000013
【図１２】
2006297052.tif 000014
【図１３】
2006297052.tif 000015
【図１４】
2006297052.tif 000016
【図１５】
2006297052.tif 000017
【図１６】
2006297052.tif 000018
【図１７】
2006297052.tif 000019
【図１８】
2006297052.tif 000020
【図１９】
2006297052.tif 000021
【図２０】
2006297052.tif 000022
【図２１】
2006297052.tif 000023
【図２２】
2006297052.tif 000024
【図２３】
2006297052.tif 000025
【図２４】
2006297052.tif 000026
【図２５】
2006297052.tif 000027
【図２６】
2006297052.tif 000028
【図２７】
2006297052.tif 000029
【図２８】
2006297052.tif 000030